(57)【特許請求の範囲】
【請求項１】
眼鏡フレームにウェアラブル機器を装着するための支持部材であって、
眼鏡フレームのツル部に取り付けられる眼鏡取付部と、
該眼鏡取付部から眼鏡フレームのツル部に略平行に延在し、前記ウェアラブル機器が取り付けられる支持フレーム部と、
該支持フレーム部に結合され、装着者の耳に掛ける耳掛け部と
を具え、
前記眼鏡取付部は、眼鏡フレームのツル部の内側に配置される押付部と、前記支持フレーム部に連結して眼鏡フレームのツル部の外側に配置される外側取付部と、前記押付部を前記外側取付部または支持フレーム部に連結する取付ブリッジ部とを有し、
前記支持フレーム部は、眼鏡フレームのツル部の外側に配置されていることを特徴とする機器装着用支持部材。
【請求項２】
前記支持フレームは、前記眼鏡取付部と前記耳掛け部との間に配置されていることを特徴とする請求項１に記載の機器装着用支持部材。
【請求項３】
前記取付ブリッジ部は、眼鏡フレームのツル部の上側に跨ることを特徴とする請求項１または２に記載の機器装着用支持部材。
【請求項４】
前記耳掛け部は、眼鏡フレームのツル部の内側に配置され、
前記支持フレーム部および前記耳掛け部は、眼鏡フレームのツル部を跨ぐ支持ブリッジ部を介して連結され、
前記支持部材を眼鏡フレームに取り付けた際に、前記支持フレーム部の弾性力により、
前記押付部が眼鏡フレームのツル部の内側から外側へ押し付けられ、
前記耳掛け部が眼鏡フレームのツル部の内側から外側へ押し付けられることを特徴とする請求項１から３のいずれか一項に記載の機器装着用支持部材。
【請求項５】
前記支持ブリッジ部は、眼鏡フレームのツル部の上側に跨ることを特徴とする請求項４に記載の機器装着用支持部材。
【請求項６】
眼鏡フレームにウェアラブル機器を装着するための支持部材であって、
眼鏡フレームのツル部に取り付けられる眼鏡取付部と、
該眼鏡取付部から眼鏡フレームのツル部に略平行に延在し、前記ウェアラブル機器が取り付けられる支持フレーム部と、
該支持フレーム部に結合され、装着者の耳に掛ける耳掛け部と
を具え、
前記支持フレーム部は、眼鏡フレームのツル部の外側に配置され、
前記耳掛け部は、眼鏡フレームのツル部の内側に配置され、
前記支持フレーム部および前記耳掛け部は、眼鏡フレームのツル部を跨ぐ支持ブリッジ部を介して連結され、
前記支持部材を眼鏡フレームに取り付けた際に、
前記耳掛け部が眼鏡フレームのツル部の内側から外側へ押し付けられることを特徴とする機器装着用支持部材。
【請求項７】
前記支持フレームは、前記眼鏡取付部と前記耳掛け部との間に配置されていることを特徴とする請求項６に記載の機器装着用支持部材。
【請求項８】
前記支持ブリッジ部は、眼鏡フレームのツル部の上側に跨ることを特徴とする請求項６に記載の機器装着用支持部材。
【発明の詳細な説明】
【技術分野】
【０００１】
本発明は、機器装着用支持部材に関し、特に、眼鏡フレームにウェアラブル機器を装着するための支持部材に関するものである。
【背景技術】
【０００２】
近年、ウェアラブル機器として、眼鏡フレームに装着可能な画像表示装置や、小型カメラ等が提案されている。このようなウェアラブル機器を眼鏡フレームに装着する方法として、例えば特許文献１に示されているように、機器にクリップを設けておき、このクリップで眼鏡フレームを挟むことにより機器を装着する方法や、特許文献２に示されているように、機器と眼鏡フレームとをネジ止めすることにより機器を装着する方法などが知られている。
【先行技術文献】
【特許文献】
【０００３】
【特許文献１】米国特許４７５３５１４号公報
【特許文献２】特表２００１−５２２０６４号公報
【発明の概要】
【発明が解決しようとする課題】
【０００４】
しかしながら、特許文献１に示されるように、クリップを用いて機器を眼鏡フレームに装着する方法では、クリップに、機器を眼鏡フレームに固定するだけの強いバネ力が要求されることになり、そのような強いバネ力を有するクリップの操作は難しい。また、強いバネ力を有するクリップで機器を眼鏡フレームに取り付けたとしても、安定性の面では十分とは言えず、使用時の不意な接触等で容易に取り付け状態がズレたり、機器が脱落したりするおそれもある。
【０００５】
また、特許文献２に示されたように、ネジを用いて機器を眼鏡フレームに装着する方法では、ネジの取付けおよび取外しが煩雑である。
【０００６】
さらに、上記特許文献１および特許文献２に記載されたいずれの方法においても、機器が取り付けられる眼鏡フレームのツル部の形状によっては、機器が眼鏡フレームのツル部の延在方向を軸として回転してしまうおそれがある。
【０００７】
したがって、かかる点に鑑みてなされた本発明の目的は、眼鏡フレームへの特別な加工なしに、眼鏡の片側に簡単かつ安定的にウェアラブル機器を装着可能な機器装着用支持部材を提供することにある。
【課題を解決するための手段】
【０００８】
上記課題を解決するため、本発明の要旨構成は以下の通りである。
（１）眼鏡フレームにウェアラブル機器を装着するための支持部材であって、眼鏡フレームのツル部に取り付けられる眼鏡取付部と、該眼鏡取付部から眼鏡フレームのツル部に略平行に延在し、前記ウェアラブル機器が取り付けられる支持フレーム部と、該支持フレーム部に結合され、装着者の耳に掛ける耳掛け部とを具え、前記眼鏡取付部は、眼鏡フレームのツル部の内側に配置される押付部と、前記支持フレーム部に連結して眼鏡フレームのツル部の外側に配置される外側取付部と、前記押付部を前記外側取付部または支持フレーム部に連結する取付ブリッジ部とを有し、前記支持フレーム部は、眼鏡フレームのツル部の外側に配置されていることを特徴とする機器装着用支持部材。
【０００９】
（２）前記支持フレームは、前記眼鏡取付部と前記耳掛け部との間に配置されていることを特徴とする上記（１）に記載の機器装着用支持部材。
【００１１】
（３）前記取付ブリッジ部は、眼鏡フレームのツル部の上側に跨ることを特徴とする上記（１）又は（２）に記載の機器装着用支持部材。
【００１２】
（４）前記耳掛け部は、眼鏡フレームのツル部の内側に配置され、前記支持フレーム部および前記耳掛け部は、眼鏡フレームのツル部を跨ぐ支持ブリッジ部を介して連結され、前記支持部材を眼鏡フレームに取り付けた際に、前記支持フレーム部の弾性力により、前記押付部が眼鏡フレームのツル部の内側から外側へ押し付けられ、前記耳掛け部が眼鏡フレームのツル部の内側から外側へ押し付けられることを特徴とする上記（１）から（３）のいずれかに記載の機器装着用支持部材。
【００１３】
（５）前記支持ブリッジ部は、眼鏡フレームのツル部の上側に跨ることを特徴とする上記（４）に記載の機器装着用支持部材。
（６）眼鏡フレームにウェアラブル機器を装着するための支持部材であって、
眼鏡フレームのツル部に取り付けられる眼鏡取付部と、
該眼鏡取付部から眼鏡フレームのツル部に略平行に延在し、前記ウェアラブル機器が取り付けられる支持フレーム部と、
該支持フレーム部に結合され、装着者の耳に掛ける耳掛け部と
を具え、
前記支持フレーム部は、眼鏡フレームのツル部の外側に配置され、
前記耳掛け部は、眼鏡フレームのツル部の内側に配置され、
前記支持フレーム部および前記耳掛け部は、眼鏡フレームのツル部を跨ぐ支持ブリッジ部を介して連結され、
前記支持部材を眼鏡フレームに取り付けた際に、
前記耳掛け部が眼鏡フレームのツル部の内側から外側へ押し付けられることを特徴とする機器装着用支持部材。
（７）前記支持フレームは、前記眼鏡取付部と前記耳掛け部との間に配置されていることを特徴とする上記（６）に記載の機器装着用支持部材。
（８）前記支持ブリッジ部は、眼鏡フレームのツル部の上側に跨ることを特徴とする上記（６）に記載の機器装着用支持部材。
【図面の簡単な説明】
【００１４】
【図１】本発明の第１実施形態に従う機器装着用支持部材を模式的に示した図である。
【図２】本発明の第１実施形態に従う機器装着用支持部材の結合手段およびその作用を説明するための図である。
【図３】本発明の第１実施形態に従う機器装着用支持部材を眼鏡フレームに取り付ける方法の一例を示した図である。
【図４】本発明の第１実施形態に従う機器装着用支持部材を眼鏡フレームに取り付ける別の方法の一例を示した図である。
【図５】本発明の第１実施形態に従う機器装着用支持部材の支持ブリッジ部の変形例および取付方法を示した図である。
【図６】本発明の第２実施形態に従う機器装着用支持部材の眼鏡取付部を示した図である。
【図７】本発明の第３実施形態に従う機器装着用支持部材の眼鏡取付部を示した図である。
【発明を実施するための形態】
【００１５】
以下、本発明に従う頭部装着型画像表示装置の実施形態について図面を参照しながら説明する。
【００１６】
図１(a)は、本発明の第１実施形態に従う機器装着用支持部材１００を模式的に示した斜視図であり、図１(b)は、図１(a)に示した機器装着用支持部材１００を取り付けた眼鏡フレームを、装着者に装着した状態を模式的に示す平面図である。
【００１７】
図１(a),(b)において、機器装着用支持部材１００は、眼鏡フレームのツル部Ｔに取り付けられる眼鏡取付部１０１と、眼鏡取付部１０１から眼鏡フレームのツル部Ｔに略平行に延在し、ウェアラブル機器が取り付けられる支持フレーム部１０２と、支持フレーム部１０２に結合され、装着者の耳に掛ける耳掛け部１０３とを具える。眼鏡取付部１０１と耳掛け部１０３により、機器装着用支持部材１００は簡単に取付が可能であるとともに、眼鏡と装着者の２箇所で固定されるため安定した装着が可能である。特に眼鏡取付部１０１により装着者に対しての取付位置が位置決めされるとともに、耳掛け部１０３により脱落および眼鏡のツルに対して回転を防止することができる。
【００１８】
眼鏡取付部１０１は、眼鏡フレームのツル部Ｔの内側に配置される押付部１０１ａと、支持フレーム部１０２に連結して眼鏡フレームのツル部Ｔの外側に配置される外側取付部１０１ｂと、眼鏡フレームのツル部Ｔの上側を跨ぎ、押付部１０１ａを外側取付部１０１ｂに連結する取付ブリッジ部１０１ｃとを有する。眼鏡取付部１０１は眼鏡フレームの内側および外側から押圧され挟まれる構造であるため安定して固定することができる。
【００１９】
図１(b)に示すように、支持フレーム部１０２は、眼鏡フレームのツル部Ｔの外側に配置され、耳掛け部１０３は、眼鏡フレームのツル部Ｔの内側に配置され、支持フレーム部１０２および耳掛け部１０３は、眼鏡フレームのツル部Ｔの上側を跨ぐ支持ブリッジ部１０４を介して連結される。眼鏡フレームのツル部Ｔの上側を跨ぐ支持ブリッジ部１０４により、機器装着用支持部材１００が重力により下方に移動することを確実に防止することができる。支持フレーム部が眼鏡フレームの外側に配置されることにより、ウェアラブル機器が取付可能である。
【００２０】
機器装着用支持部材１００は、このような構成とすることにより、眼鏡フレームに取り付けた際に、支持フレーム部１０２の弾性力により、押付部１０１ａが眼鏡フレームのツル部Ｔの内側から外側へ押し付けられ、耳掛け部１０３が眼鏡フレームのツル部Ｔの内側から外側へ押し付けられる。これにより取付が容易であるとともに、装着時には安定して固定される。
【００２１】
このとき、眼鏡取付部１０１の外側取付部１０１ｂに連結する支持フレーム部１０２の一部分１０２ａは、支持フレーム部１０２の他の部分と比較してばね定数を小さくすると、ばねの撓みの強弱により、太いツルにも細いツルにも適合し易い。
【００２２】
図２(a),(b)は、ウェアラブル機器Ｗを装着した支持部材１００を取り付けた眼鏡フレームを装着者の頭部に装着した場合の外観斜視図および部分平面図を示している。図２(a),(b)において、支持フレーム部１０２は、ウェアラブル機器を、取付姿勢を調整可能に取り付ける結合手段１０６を有する。例えばウェアラブル機器Ｗとして、装着者の眼球への調整が必要な頭部装着型画像表示装置を装着する場合、このような結合手段１０６を用いることによって、さまざまな形の眼鏡フレームに対して、頭部装着型画像表示装置の射出瞳を装着者の眼球の視軸に合わせる調整が可能となる。
【００２３】
また、図２(a),(b)にそれぞれ示すように、上記結合手段１０６は、ウェアラブル機器Ｗを眼鏡フレームのツル部Ｔの延在方向に対してピッチ(図２(a))またはロール(図２(b))の少なくとも一つの方向に回転可能な機構を有する。さまざまな形の眼鏡フレームで特に寸法のばらつきが大きく出る頭部装着型画像表示装置の射出瞳と眼球の視軸のずれは上下方向であり、その上下方向の調整を、スライド機構よりも小型化が容易な回転機構で調整することができる。
【００２４】
図３(a)〜(c)は、上述した本発明の機器装着用支持部材１００を眼鏡フレームに取り付ける方法の一例を示した図である。図３において、始めに耳掛け部１０３を眼鏡フレームのモダン部Ｍに引っ掛け(図３(a))、次いで眼鏡取付部１０１を眼鏡フレームのツル部Ｔに引っ掛ける(図３(b))。最後に、ウェアラブル機器Ｗを取り付ける(図３(c))。また、ウェアラブル機器Ｗを取り付けた状態の機器装着用支持部材１００を眼鏡フレームに固定してもよい。
【００２５】
図４(a)〜(d)は、上述した本発明の機器装着用支持部材１００を眼鏡フレームに取り付ける別の方法の一例を示した図である。図４において、始めに眼鏡取付部１０１を眼鏡フレームのツル部Ｔに引っ掛け(図４(a))、次いで耳掛け部１０３を眼鏡フレームのモダン部Ｍに引っ掛ける(図４(b))。最後に、ウェアラブル機器Ｗを取り付ける(図４(c),(d))。また、ウェアラブル機器Ｗを取り付けた状態の機器装着用支持部材１００を眼鏡フレームに固定してもよい。
【００２６】
図５は、上述した本発明の機器装着用支持部材１００の支持ブリッジ部１０４の変形例および取付方法を示した図である。図５(a)に示す機器装着用支持部材１００は、支持ブリッジ部１０４が眼鏡フレームのツル部Ｔの下側を跨ぐ。この場合、始めに耳掛け部１０３を装着者の頭部の耳部に引っ掛け(図５(b))、次いで眼鏡取付部１０１を眼鏡フレームのツル部Ｔに引っ掛ける(図５(c))。最後に、ウェアラブル機器Ｗを取り付ける。また、ウェアラブル機器Ｗを取り付けた状態の機器装着用支持部材１００を眼鏡フレームに固定してもよい。
【００２７】
図６は、本発明の第２実施形態に従う機器装着用支持部材２００を示した図であり、図６(a)は、ウェアラブル機器Ｗが取り付けられた機器装着用支持部材２００を装着した眼鏡フレームを装着者が装着した状態を示す平面図であり、図６(b)は、機器装着用支持部材２００を示す斜視図であり、図６(c)は、図６(b)に示した機器装着用支持部材２００を眼鏡フレームに装着した状態を示す斜視図である。
【００２８】
図６に示すように、眼鏡取付部２０１は、押付部２０１ａと、支持フレーム部２０２に連結して眼鏡フレームのツル部Ｔの外側に配置される外側取付部２０１ｂと、押付部２０１ａおよび外側取付部２０１ｂを、眼鏡フレームのツル部Ｔの上側を跨って連結する取付ブリッジ部２０１ｃとを有する。また、支持フレーム部１０２および耳掛け部１０３は、眼鏡フレームのツル部Ｔの外側に配置される。そして、押付部２０１ａは、取付ブリッジ部２０１ｃの弾性力により、眼鏡フレームのツル部の内側から外側方向へ押し付けられる。
【００２９】
また、図７は、本発明の第３実施形態に従う機器装着用支持部材３００を示した図であり、図７(a)は、ウェアラブル機器Ｗが取り付けられた機器装着用支持部材３００を装着した眼鏡フレームを装着者が装着した状態を示す平面図であり、図７(b)は、機器装着用支持部材３００を眼鏡フレームに装着した状態を示す斜視図である。
【００３０】
図７に示すように、眼鏡取付部３０１は、図６と異なり、取付ブリッジ部３０１cが、第１押付部３０１ａと、支持フレーム部３０２とを連結している。すなわち、取付ブリッジ部３０１ｃは支持フレーム部３０２から分岐して延在する。外側取付部３０１ｂは、支持フレーム部３０２と連結されているため、第１押付部３０１ａは、取付ブリッジ部３０１ｃの弾性力により、眼鏡フレームのツル部の内側から外側方向へ押し付けられる。また、取付ブリッジ部３０１ｃは、図７(c)に示すように、開口を有する幅広のばねにより構成することができ、これにより、ねじれを防止するとともに、バネ定数の調整が可能になるという効果を奏する。
【００３１】
本発明は、上記実施形態にのみ限定されるものではなく、幾多の変形または変更が可能である。なお、上述した実施形態では、耳掛け部が眼鏡フレームのモダン部のように延在する形状をしているもののみを示したが、耳掛け部として、少なくとも装着者の耳に掛止される部分が存在すれば、本発明の効果を得ることができる。
【符号の説明】
【００３２】
１００    機器装着用支持部材
１０１    眼鏡取付部
１０１ａ  押付部
１０２    支持フレーム部
１０３    耳掛け部
１０４    支持ブリッジ部
【図１】
0005562791.tif 000002
【図２】
0005562791.tif 000003
【図３】
0005562791.tif 000004
【図４】
0005562791.tif 000005
【図５】
0005562791.tif 000006
【図６】
0005562791.tif 000007
【図７】
0005562791.tif 000008